(57)【要約】【課題】ロール紙に直接手を接触することなく、片手操作でロール紙の切断端を引き出すことができ、面倒で不衛生的な操作を不要にすることができるトイレットペーパーホルダーを提供する。【解決手段】トイレットペーパーホルダー本体１に設けたカバー５の裏面に、揺動部材７を前後方向に揺動自在となるようその上端を枢着して吊り下げ、この揺動部材７の下端部に、カバー５の上昇動による揺動部材７の移動時にロール紙Ａを送り出し、カバー５の下降動による揺動部材７の移動時にロール紙Ａに対して摺動するペーパー送り部材８を取り付け、カバー５の上下動操作によってロール紙Ａを間欠的に回転させる。【選択図】  図１
2004254824.tif 000002
【特許請求の範囲】
【請求項１】
ホルダーに設けたカバーの裏面に、揺動部材を前後方向に揺動自在となるようその上端を枢着し、この揺動部材の下端部に、カバーの上昇動による揺動部材の移動時にトイレットペーパーを送り出し、カバーの下降動による揺動部材の移動時にトイレットペーパーに対して摺動するペーパー送り部材を取り付けたトイレットペーパーホルダー。
【発明の詳細な説明】
【０００１】
【発明の属する技術分野】
この発明は、ホルダーに設けたカバーの上下動で、トイレットペーパーを回転させて送り出すようにしたトイレットペーパーホルダーに関する。
【０００２】
【従来の技術】
従来のトイレットペーパーホルダーは、ロール巻きしたトイレットペーパーを回転可能に支持し、ホルダーに起伏可能に取り付けたカバーがトイレットペーパーの上に載り、引き出したペーパーをこのカバーの先端縁に沿って切断することにより使用するものであり、トイレットペーパーの装着や切断に関しては種々のトイレットペーパーホルダーが提案されている（例えば、特許文献１と特許文献２参照）。
【０００３】
【特許文献１】
特開２００２−２４８０６４号公報（図１、図３）
【特許文献２】
特開２００２−３２０５６８号公報（図４、図５）
【０００４】
【発明が解決しようとする課題】
しかし、紙を引き出す手法については、カバーを手で持ち上げ、トイレットペーパー側の切断端部を手で引き出す構造になっている。
【０００５】
ところで、トイレットペーパー側の切断端部は、ロール紙と区別しにくく、紙を引き出す際にカバーを持ち上げた状態でロール紙を回転させて切断端部をさがさなければならず、紙の引き出し作業が面倒である。
【０００６】
また、紙を引き出す際にカバーを持ち上げると共に、トイレットペーパーを直接手で触りながら切断端を探す必要があり、極めて不衛生である。
【０００７】
また、上記のような操作を回避するため、トイレットペーパーの切断端を三角状に折り、次使用者が紙を引き出すのに便利なようにしている状態も見かけるが、この状態にするには前述の操作を先使用者がしなければならず、根本的な解決に至っていない。
【０００８】
そこで、この発明の課題は、トイレットペーパーのロール紙に直接手を接触することなく、ロール紙の切断端を引き出すことができ、面倒で不衛生的な操作を不要にすることができるトイレットペーパーホルダーを提供することにある。
【０００９】
【課題を解決するための手段】
上記のような課題を解決するため、この発明は、ホルダーに設けたカバーの裏面に、揺動部材を前後方向に揺動自在となるようその上端を枢着し、この揺動部材の下端部に、カバーの上昇動による揺動部材の移動時にトイレットペーパーを送り出し、カバーの下降動による揺動部材の移動時にトイレットペーパーに対して摺動するペーパー送り部材を取り付けた構成を採用したものである。
【００１０】
上記揺動部材は、上下に長い帯板状でロール紙の外径面の方向に沿うような大きな径の弧状に形成され、中間部の背面側にはウエイトが設けられ、その上端がカバーの裏面に固定した枢止金具に吊り下げ状となるよう取り付けられている。
【００１１】
また、揺動部材の下端に取り付けたペーパー送り部材は、薄い板によって形成され、揺動部材の下端に蝶番構造によって取り付けられ、揺動部材の前面に重なって起立する折り畳み姿勢と、揺動部材の前面側に略直角の角度で突出する突出姿勢の間を起伏動自在となるように枢止されている。
【００１２】
ホルダーに装着したトイレットペーパーの上にカバーが重なるとき、上記揺動部材は、枢止金具を支点にして後方へ倒れてトイレットペーパーの外径面上に載り、この状態でカバーを持ち上げると、カバーの上昇動により揺動部材は引き起こされると同時に上昇し、この時、ペーパー送り部材は、突出姿勢となってロール紙の外径面に係合することになり、従って、トイレットペーパーはペーパー送り部材の上昇ストローク分だけ回転が与えられ、ロール紙の切断端部が前方に送り出される。
【００１３】
また、カバーを下げると、カバーの下降動により揺動部材も下降し、このとき、ペーパー送り部材は折れ曲がって折り畳み姿勢となり、トイレットペーパーの外径面を摺動することでトイレットペーパーに回転を与えないことになる。
【００１４】
従って、カバーの上下動を必要な回数だけ行えば、トイレットペーパーの切断端部を必要な長さだけ送り出すことができる。
【００１５】
【発明の実施の形態】
以下、この発明の実施の形態を図示例と共に説明する。
【００１６】
図１のように、トイレットペーパーホルダー本体１は、取り付け板２の両端に設けた一対の側板３の先端部対向面にロール紙Ａの支持腕４を、水平から上方に折り曲げ可能に装着し、取り付け板２の上部にカバー５を起伏動自在に取り付けた構造を有し、カバー５の先端がトイレットペーパー（以下ロール紙という）Ａの切断縁６になっている。なお、トイレットペーパーホルダー本体１は、一対の側板３の先端部間にペーパー支持軸を着脱自在に架設したような構造であってもよい。
【００１７】
上記トイレットペーパーホルダー本体１において、カバー５の裏面に、揺動部材７を前後方向に揺動自在となるようその上端を枢着し、この揺動部材７の下端部に、カバー５の上昇動による揺動部材７の移動時にロール紙Ａを送り出し、カバー５の下降動による揺動部材７の移動時にロール紙Ａに対して摺動するペーパー送り部材８が取り付けられている。
【００１８】
上記揺動部材７は、例えば、最大径にあるロール紙Ａの直径よりも少し短い長さを有する上下に長い帯板状で、ロール紙Ａの外径面の方向に沿うような大きな曲率の弧状に形成され、その上端に設けた取り付け孔７ａがカバー５の裏面に固定した枢止部材９にピン１０で吊り下げ状となるよう取り付けられ、このピン１０を支点にして前後方向に揺動自在となり、中間部の背面側に取り付けたウエイト１１でカバー５に対して常時垂下するようになっている。
【００１９】
なお、枢止部材９の取り付け位置は、取り付け板２から枢止部材９までの距離と、取り付け板２から支持腕４までの距離に略等しくなるように設定されている。
【００２０】
また、揺動部材７の下端に取り付けたペーパー送り部材８は、図５のように、横長の矩形状となる薄い板によって形成され、揺動部材７の下端に蝶番構造によってピン１２を支点に取り付けられ、揺動部材７の前面に重なって起立する折り畳み姿勢と、揺動部材７の前面側に略直角の角度で前方に突出する突出姿勢の間を起伏動自在となるように枢止されている。
【００２１】
このペーパー送り部材８は、起立する折り畳み姿勢から前方への突出姿勢へ自然に復帰するよう、上面に小さなウエイト１３が設けてある。
【００２２】
図示の場合、揺動部材７の上端部には、ロール紙Ａのない状態にあるカバー５に対して、カバー５の裏面に当接することで、揺動部材７を後方に向けて傾斜する姿勢を保持し、支持腕４間へのロール紙Ａの装着に支障を与えないようにする姿勢規制板１４が延長状に設けてある。
【００２３】
また、カバー５を上下動操作するため、カバー５の先端部上面に、適宜形状の持ち上げレバー１５が取り付けてある。
【００２４】
なお、上記した揺動部材７やペーパー送り部材８、枢止部材９、姿勢規制板１４等の形成に用いる材料は、金属だけでなく合成樹脂を用いることもできる。
【００２５】
この発明のトイレットペーパーホルダーは、上記のような構成であり、支持腕４間にロール紙Ａを装填してその上面にカバー５を重ねると、図１のように、揺動部材７はその途中がロール紙Ａの外径面で押し上げられ、該揺動部材７は後方に向けて傾斜する姿勢となり、その下端側がロール紙Ａの外径面から離れた状態となることで、揺動部材７の下端に取り付けたペーパー送り部材８は、揺動部材７から前方に突出した状態になっている。
【００２６】
このような状態で、ロール紙Ａを使用するために繰り出すには、レバー１５を介してカバー５を持ち上げると、図２のように、カバー５の上昇と共に揺動部材７が引き上げられ、揺動部材７は枢止部材９のピン１０を支点に垂下姿勢になろうとするので、上昇の開始と共に下端のペーパー送り部材８の先端がロール紙Ａの外径面に圧接することになり、カバー５の持ち上げが続いて揺動部材７が引き上げられて行くと、ペーパー送り部材８の先端はその圧接力でロール紙Ａを掻き上げることになり、従ってロール紙Ａはこの掻き上げ力で回転が生じることになり、この回転でカバー５の先端切断縁６に一致していたロール紙Ａの切断端部ａが前方に送り出されることになる。
【００２７】
上記カバー５の持ち上げが所定角度になって、上昇した揺動部材７のペーパー送り部材８がロール紙Ａの外径面の上部に近い位置に達すると、ロール紙Ａの外径面は水平に近くなるので、ペーパー送り部材８とロール紙Ａの外径面の角度の関係から、ペーパー送り部材８にはロール紙Ａの掻き上げ力がなくなる。
【００２８】
この時点でカバー５の持ち上げを解いて下降させると、図３のように、揺動部材７も一体に下降することになり、先端がロール紙Ａに当接しているペーパー送り部材８は、折り畳み姿勢となってロール紙Ａの外径面を摺動し、ロール紙Ａに回転を与えることはなく、図４のように、カバー５がロール紙Ａの外径面に当接する状態に戻ると、揺動部材７はロール紙Ａの外径面上に載ることで後方へ傾動し、ペーパー送り部材８はロール紙Ａから離れることで揺動部材７から前方に突出した状態に倒れることになる。
【００２９】
上記のように、カバー５を持ち上げるとロール紙Ａは所定角度だけ回転し、その切断端部ａが前方に送り出され、カバー５を元の位置に戻すときはロール紙Ａは回転せず、従って、ロール紙Ａの切断端部ａを必要な長さだけカバー５の切断縁６から前方に送り出すには、カバー５の上下動操作を数回繰り返して行えばよい。
【００３０】
このように、カバー５の上下動によって送り出されたロール紙Ａの切断端部ａを指先で摘んで必要な長さだけ引き出し、カバー５の切断縁６に沿って切断すればよく、ロール紙Ａの使用ができることになり、ロール紙Ａの引き出し時にロール紙Ａを手で直接回転させる必要がなくなり、前回の使用でカバー５の切断縁６に一致しているロール紙Ａの切断端部ａを送り出す時に、ロール紙Ａに直接手を触れる必要がないので、極めて衛生的である。
【００３１】
【発明の効果】
以上のように、この発明によると、上記のような構成としたので、トイレットペーパーホルダーに設けたカバーを上下動させるだけで、ロール紙を回転させてその切断端部を送り出すことができ、ロール紙の引き出し時にロール紙を手で直接回転させる必要がなくなり、前回の使用でカバーの切断縁に切断端部が一致しているロール紙の引き出し時に、ロール紙に直接手を触れる必要がなくなり、極めて衛生的であり、しかも、カバーの片手操作でロール紙の切断端部を送り出せるので、カバーを持ち上げながらロール紙を回転させるという、従来の面倒で不衛生的な操作を不要にすることができる。
【図面の簡単な説明】
【図１】この発明に係るトイレットペーパーホルダーの縦断側面図
【図２】この発明に係るトイレットペーパーホルダーのカバーを持ち上げてロール紙を送り出した状態を示す縦断側面図
【図３】この発明に係るトイレットペーパーホルダーの持ち上げたカバーを戻す途中の状態を示す縦断側面図
【図４】この発明に係るトイレットペーパーホルダーのカバーを戻した状態を示す縦断側面図
【図５】この発明に係るトイレットペーパーホルダーに用いる揺動部材の斜視図
【符号の説明】
１    トイレットペーパーホルダー本体
２    取り付け板
３    側板
４    支持腕
５    カバー
６    切断縁
７    揺動部材
８    ペーパー送り部材
９    枢止部材
１０  ピン
１１  ウエイト
１２  ピン
１３  ウエイト
１４  姿勢規制板
１５  レバー
【図１】
2004254824.tif 000003
【図２】
2004254824.tif 000004
【図３】
2004254824.tif 000005
【図４】
2004254824.tif 000006
【図５】
2004254824.tif 000007